(57)【特許請求の範囲】
【請求項１】
軸線に対して垂直な平面で構成される端面部に、均一な厚さの補強コーティングが施された複数本の鉛筆と、１個の絞出し式瞬間接着剤とが、一つの収納ケースにそれぞれ区分された状態で収納されて市販に供する態をなし、前記補強コーティングの材質と前記瞬間接着剤の材質とは接着性の相性が良いものであることを特徴とする鉛筆セット。
【請求項２】
上記鉛筆の軸線方向の長さが８６ｍｍ〜９０ｍｍであることを特徴とする請求項１に記載される鉛筆セット。
【発明の詳細な説明】
【技術分野】
【０００１】  この出願の発明は、複数本の鉛筆と１個の絞出し式瞬間接着剤とを１つの容器に収納し、専ら市販に供するのに適した鉛筆セットに関する。
【背景技術】
【０００２】  市販の鉛筆は、筆記するにつれて芯が磨耗し、やがて短くなって手で握りづらくなるので、最終的には廃棄される宿命にあるから、鉛筆１本全てを使い切ることは不可能であった。このような状況から、短くなり持ちづらくなった鉛筆を補助軸に挿して使う工夫がなされ、鉛筆の不使用部分を極力省く努力がなされてはきたが、使用できずに廃棄せざるを得ない部分が必然的に発生することを回避することはできなかった。【０００３】  また、短くなった鉛筆の端面を接着剤や連結具を用いて長い鉛筆の端面に接続して用いる工夫もなされてきている。特に、接着剤を用いて端面同士を接合したものにあっては、短くなった鉛筆の軸部がなくなってほぼ円錐状となるまで使うことを可能とするから、鉛筆の不使用部分を極力少なくする意味で大きな効果が得られてはきた。【０００４】  しかし、これらの技術に共通する欠点として、いずれも鉛筆利用者の自助努力に依存してしまっていることを挙げることができる。つまり、補助軸や連結具を用いるにしても鉛筆利用者が別途買い求めなければならず、接着剤に至っては何でも良いという訳でもなければ、鉛筆利用者が必ずしも家庭に持ち合わせていないかもしれないのである。なにより、短くなった鉛筆をできるだけ使い切ろうとするエコロジーを意識した立派な精神が、大量消費時代にあっては、ややもすると周りからしみったれてみじめったらしく受け取られてしまう惧れも否定できなかったのである。
【特許文献１】実開昭５７−７０８８７号のマイクロフィルム
【特許文献２】特開昭５２−５２７１８号公報
【特許文献３】特開昭５７−２０７０９８号公報
【発明の開示】
【発明が解決しようとする課題】
【０００５】  本発明は上記実状に鑑みて成し遂げられたものであり、その目的とするところは、短くなった鉛筆でもほとんど無駄なく使い切るというエコロジーへの寄与を第１の目的とし、特に鉛筆が欠かせない幼児や児童が、ものの大切さを理解したり手先の器用さを磨くなどの教育的効果を挙げることを第２の目的とする。
【課題を解決するための手段】
【０００６】  本発明は上記課題を解決するために、近年における瞬間接着剤の急速な技術的進歩に着目してなされたものであって、軸線に対して垂直な平面で構成される端面部に、均一な厚さの補強コーティングが施された複数本の鉛筆と、１個の絞出し式瞬間接着剤とが、一つの収納ケースにそれぞれ区分された状態で収納されて市販に供する態をなし、前記補強コーティングの材質と前記瞬間接着剤の材質とは接着性の相性が良いものであることを特徴とする。【０００８】  本発明は更に、上記鉛筆の軸線方向の長さが８６ｍｍ〜９０ｍｍであることを特徴とする。
【発明の効果】
【０００９】  このように鉛筆と瞬間接着剤とを組物として扱うことで、短くなり握りづらくなった鉛筆を接着により新しい鉛筆に継ぎ足し続けることにより、誰でも半永久的にほとんど無駄なく使い切ることのお膳立てを提供することができる。【００１０】  また、短くなった鉛筆と新しい鉛筆とを瞬間接着剤で接合する時に、不器用ではどうしても接着部の見栄えが悪くなったり接着力に不都合が生じるので、特に幼児や児童にあっては不器用でも親や教師や器用な友達等の所作を見習うことにより、徐々に接着作業時の前処理の必要性（清掃、等）を理解しつつ、器用さや集中力、冷静さ等を身につけて行くという、多大な教育的効果が期待できる。【００１１】  そして、短くなった鉛筆を１００パーセント使い切ることはできないが、若干の芯と軸部とが残った略円錐形となるまで使い切ることができるので、この略円錐形の使い残しを収集することは、自分が鉛筆をこれまで何本使い切ったかの目安になり、単に収集癖のある人に留まらず、その略円錐形の使い残しを捨てることが惜しくなるといった、人間の情緒面に迫る独特の効果が期待できる。【００１２】  また、軸体同士の接着面は通常どうしても他の部分より強度が落ち勝ちとなるから、鉛筆を使用する者に自然の内に筆圧を低くしようとする傾向が芽生えるので、筆記具の正しい持ち方を教育する場合のみならず、筆記者本人の筆記具の持ち方にも好影響を与え、やたらと芯を折ったり、下紙に上紙の筆跡が残るといった不都合が自然に防止できるといった効果も期待できる。【００１３】  さらに、接合された鉛筆の直線性が十分担保されることと接着強度の担保とにより、鉛筆を削る際も、小刀やナイフで削る場合は言うに及ばず、手回し式鉛筆削り器や電動式鉛筆削り器にも十分に対応できるのである。【００１４】  端面部に補強コーティングを施すことも有効である。普通の鉛筆は使い続けるうちにどうしても筆記部と逆側の端面とその角部が汚れたり磨り減ったりし勝ちである。そうすると接着の際の強度に悪影響が及ぶ。補強コーティングは接合端面の汚れを弾き、角部の磨滅を積極的に防ぐから、接着に際し接合面を拭き取れば接合面の清浄度が担保できると共に、接合面積の減少による接合強度の低下を防ぐことができる。また、接合端面の美観が損なわれることを極力防ぐこともできる。【００１５】  さらに、鉛筆の軸線方向の長さをＪＩＳ規格のものに比して短寸とすることも有効である。幼児や児童に大人と同じ長さの鉛筆を使用当初から与えるのは、子供の手の大きさから見て鉛筆が長過ぎて使いづらいといった憾みがどうしてもある。その点、使用当初から幼児や児童の手の大きさを意識した短寸の鉛筆を用意して置き、短くなるにつれて新しいものと接着して使うようにすれば、継ぎ足した時点でもＪＩＳ規格の鉛筆より短いものとすることが出来るから、幼児や児童向けに供した場合、使い勝手の良さの点でも有効である。そして、鉛筆が短くなって使いづらさを感じたら、あるいはそれ以前に、予め継ぎ足し作業を施すことにより、総じて鉛筆の使用中の長さを平均化することができるので、言ってみれば、いつも使い易い長さの鉛筆を手元においておくことができるのである。
【発明を実施するための最良の形態】
【００１６】軸線に対して垂直な平面で構成される端面部に、均一な厚さの補強コーティングが施された複数本の鉛筆と、１個の絞出し式瞬間接着剤とが、一つの収納ケースにそれぞれ区分された状態で収納されて市販に供する態をなし、前記補強コーティングの材質と前記瞬間接着剤の材質とは接着性の相性が良いものであることを特徴とする鉛筆セット。【００１８】  上記鉛筆の軸線方向の長さが８６ｍｍ〜９０ｍｍであることを特徴とする請求項１又は２に記載される鉛筆セット。
【実施例】
【００１９】  図１はこの出願の発明に用いられる鉛筆の斜視図であって、軸体１の中心に芯体２が接着されており、軸体１の両端に軸線に対して垂直な平面からなる端面部３を有している。軸体１は軸線方向の対向面で互いに接着されているものが多い。また、軸体１の断面形状は六角形に限るものではなく、円形や略三角形や四角形等その他の断面形状のものを排除するものではない。【００２０】  図２は、短くなった鉛筆５の端面部３と新しい鉛筆の軸体１の端面部３とを接着面４で互いに接着した状態を示している。【００２１】  図３は、図２に示される鉛筆の使用が更に進んだ状態を示すものである。短くなった鉛筆５は更に短くなって略円錐形状となるまで使い込まれた状態を示している。短くなった鉛筆５は接着面４によりかろうじて軸体１と一体を保っている。これぐらい使い込まれた状態になると筆記者がちょっと筆圧を上げたりすれば、短くなった鉛筆５は、接着面４でぽろっと脱落する可能性が高くなる。短くなった鉛筆５が脱落したら、軸体１の先を通常どおりに削って使用に供すれば良い。【００２２】  図４は、この出願の発明の収納ケース６を示している。収納ケース６は鉛筆収納部７と瞬間接着剤収納部８とに区分されている。その仕切りは底板９のようなものであって良い。鉛筆収納部７には複数本の鉛筆が収納され、瞬間接着剤収納部には適当量の瞬間接着剤が入った１個の絞出し式瞬間接着剤がそれぞれ収納されている。必要に応じて適宜、上蓋部１０や下蓋部１１を開けて鉛筆や瞬間接着剤を別箇に取出すことができる。【００２３】  図５及び図６は鉛筆の端面部３を詳細に示している。端面部３は鉛筆の軸線に対して垂直な平面で構成されているが、補強コーティング１２は均一な厚さであるから補強コーティング１２の表面も鉛筆の軸線に対し垂直となる。補強コーティング１２は鉛筆の使用中鉛筆の端面を磨耗や汚損から防御することが第一義的な被覆ではあるが、鉛筆の端面部同士を瞬間接着剤で接合して用いるのがこの出願の発明の大前提であるから、補強コーティング１２と鉛筆の軸体１との接続は強固なものでなければならない。その意味で、鉛筆の軸体１の材質と補強コーティング１２の材質と瞬間接着材の材質との三者間の接着性の相性が良いものを選択しなければならないことは当然である。補強コーティング１２は透明でも不透明でも何ら差し支えがない。【００２４】  図示はしないが、この出願の請求項２に係る発明の軸線方向の長さは８６ｍｍ〜９０ｍｍであることが好ましい。これは、ＪＩＳ規格により鉛筆の長さは１７２ｍｍ以上と規定されていることに関連する。そして、通常のＪＩＳ規格の鉛筆の長さは１７６ｍｍプラスマイナス４ｍｍの範囲に入るものが多い。また、鉛筆は長さが８０ｍｍを切ると通常の大人は使いづらさを感じるようになる。このような事情で鉛筆の軸線方向の長さを８６ｍｍ〜９０ｍｍとしたのであるが、その根拠は長さに関するＪＩＳ規格の最低値の半分と、通常の鉛筆の最高値の半分との範囲で設定したことによる。これによりＪＩＳ規格よりも短い鉛筆であっても、幼児や児童は言うに及ばず大人が使ったとしても特段の使いづらさを感じさせない。そして、予め二本の鉛筆を接着して使い始めたとしても、通常の鉛筆の長さを超えることがないから違和感が生じることもない。勿論、通常の鉛筆はＪＩＳ規格に基づいて供給されている訳であるから、短寸の鉛筆を販売する時には、鉛筆の長さがＪＩＳ規格外であることを収納ケースに表示して販売すれば、消費者に無用の不安を与えることはない。また、鉛筆の長さはこれまでの半分であるから、製造装置に大きな改変を必要としない。
【産業上の利用可能性】
【００２５】  この出願の発明は、鉛筆と瞬間接着剤とを組物として供給することにより、自然環境にやさしい鉛筆を提供できるだけでなく、もしその鉛筆を幼児や児童に与えれば、物の大切さや、人に聞くことや見習うことの重要性を自然と身に付けさせることができると共に、集中力や冷静さや器用さを養うことができるという多大な教育的効果が期待できる。したがって、一般消費者に供給して多大なエコロジー効果が期待できるのみならず、教育現場に導入して多大の教育的効果と人間の情緒面に与える効果が期待できる。まさに２１世紀の進歩した社会に好適な発明ということができる。
【図面の簡単な説明】
【００２６】
【図１】この出願の発明に用いられる鉛筆の斜視図である。
【図２】この発明の鉛筆の継ぎ足し状態を示す正面図である。
【図３】図２の鉛筆の使用が更に進んだ状態を示す正面図である。
【図４】この出願の発明の収納ケースを示す斜視図である。
【図５】この出願の発明の鉛筆の端面部の斜視図である。
【図６】この出願の発明の鉛筆の端面部の側面図である。
【符号の説明】
【００２７】  １      軸体
２      芯体
３      端面部
４      接着面
５      短くなった鉛筆
６      収納ケース
７      鉛筆収納部
８      瞬間接着剤収納部
９      底板
１０    上蓋部
１１    下蓋部
１２    補強コーティング
【図１】
0005240442.tif 000002
【図２】
0005240442.tif 000003
【図３】
0005240442.tif 000004
【図４】
0005240442.tif 000005
【図５】
0005240442.tif 000006
【図６】
0005240442.tif 000007